(57)【要約】【課題】プラグ受けにより電気製品の電源を有効に管理することができる埋め込み式電源管理プラグ受けを提供する。【解決手段】埋め込み式電源管理プラグ受け１００は、ハウジング１、電力線通信機構２１、制御管理機構２２、メモリユニット２３及びスイッチ機構２４を備える。ハウジング１は、電力線Ｌに接続され、電源プラグ３１を挿着するプラグ接続ベース１１を有する。電力線通信機構２１は、ハウジング１内に配置され、電力線Ｌに接続され、通信プロトコルにより通信を行う。制御管理機構２２は、電力線通信機構２１に接続され、所定のプラグ受け管理データＤ１に基づき、埋め込み式電源管理プラグ受け１００を制御し、電力線通信機構２１を利用し、電力線Ｌに接続された他の埋め込み式電源管理プラグ受け１００にプラグ受け制御指令Ｓを送信したり、他の埋め込み式電源管理プラグ受け１００からプラグ受け制御指令Ｓを受信したりする。【選択図】図２
0003169405.tif 000002
【実用新案登録請求の範囲】
【請求項１】
ハウジング、電力線通信機構、制御管理機構、メモリユニット及びスイッチ機構を備える埋め込み式電源管理プラグ受けであって、
前記ハウジングは、電力線に接続され、電源プラグを挿着するプラグ接続ベースを有し、
前記電力線通信機構は、前記ハウジング内に配置され、前記電力線に接続され、前記電力線を介し、通信プロトコルにより通信を行い、
前記制御管理機構は、前記電力線通信機構に接続され、所定のプラグ受け管理データに基づいて前記埋め込み式電源管理プラグ受けを制御し、前記電力線通信機構を利用して前記電力線に接続された他の埋め込み式電源管理プラグ受けに前記電力線を介してプラグ受け制御指令を送信したり、前記電力線通信機構を利用して他の埋め込み式電源管理プラグ受けから前記電力線を介して前記プラグ受け制御指令を受信したりし、
前記メモリユニットは、前記制御管理機構に接続され、専属の電力線通信アドレスデータを記憶し、指令記憶エリアを有し、
前記スイッチ機構は、前記プラグ接続ベースと前記電力線との間に直列接続され、前記制御管理機構に接続され、前記制御管理機構により制御して前記プラグ接続ベースと前記電力線との間を導通したり非導通したりすることを特徴とする埋め込み式電源管理プラグ受け。
【請求項２】
前記プラグ受け管理データは、遠隔装置から受信され、
前記遠隔装置には、前記電力線に接続された電力線通信モジュールが接続されることを特徴とする請求項１に記載の埋め込み式電源管理プラグ受け。
【請求項３】
前記プラグ受け管理データは、前記メモリユニットに予め記憶されることを特徴とする請求項１に記載の埋め込み式電源管理プラグ受け。
【請求項４】
前記制御管理機構は、前記電力線通信機構を利用し、前記遠隔装置に、前記電力線を介してプラグ受け状態信号を送信する状態報告ユニットをさらに備えることを特徴とする請求項１に記載の埋め込み式電源管理プラグ受け。
【請求項５】
赤外線通信機構をさらに備え、
前記赤外線通信機構は、前記制御管理機構に接続され、
前記制御管理機構は、前記赤外線通信機構を介し、前記遠隔装置と赤外線通信を行うことを特徴とする請求項１に記載の埋め込み式電源管理プラグ受け。
【請求項６】
前記制御管理機構及び前記プラグ接続ベースに接続され、前記制御管理機構により制御されて前記プラグ接続ベースの電力状態を検知する電力検知機構をさらに備えることを特徴とする請求項１に記載の埋め込み式電源管理プラグ受け。
【請求項７】
前記プラグ接続ベースと前記電力線との間に、直列接続された安全保護機構をさらに備えることを特徴とする請求項１に記載の埋め込み式電源管理プラグ受け。
【請求項８】
前記スイッチ機構はリレースイッチ機構であることを特徴とする請求項１に記載の埋め込み式電源管理プラグ受け。
【考案の詳細な説明】
【技術分野】
【０００１】
本考案は、プラグ受けに関し、特に、埋め込み式電源管理プラグ受けに関する。
【背景技術】
【０００２】
科学技術及び工業の発展に伴い、電力により作動する様々な電気製品が人々の生活で使用されるようになり、生活はますます便利になってきている。一般に、電気製品は、電源プラグがプラグ受けに差し込まれ、電力線を介して主電源部から電力が供給される。
【０００３】
一般に、埋め込み式電源プラグ受けは、壁内に配線された電力線に接続され、壁に嵌設されたプラグ受けを有する。電気製品を使用した後、電力供給をオフする際は、電気製品の電源プラグをプラグ受けから抜いたり、電気製品の電源スイッチをオフしたり、電力線に接続された主電源をオフしたりする必要がある。
【０００４】
上述したことから分かるように、従来技術は電源をオフする方式が決して便利ではない。例えば、全ての電気製品（例えば、炊飯器、電子レンジ、洗濯機などの家電製品）でリモコンを使用できるわけではなく、リモコンが無い電気製品の場合、ユーザは電気製品の電源スイッチを直接操作してオフする必要がある。また、主電源をオフする方式では、その他の電気製品への電力供給も遮断されるため、非常に不便である。また、電源の消し忘れにより、安全面で問題が発生する虞もある。
【０００５】
上述したことから分かるように、従来、ユーザは個々の電気製品に対してしか直接操作することしかできず、電気製品の電源を有効に管理することができないため不便である上、電源の消し忘れにより、安全面で問題が発生する虞もある。
【考案の概要】
【考案が解決しようとする課題】
【０００６】
本考案の目的は、プラグ受けにより電気製品の電源を有効に管理することができる埋め込み式電源管理プラグ受けを提供することにある。
【課題を解決するための手段】
【０００７】
上記課題を解決するために、本考案の第１の形態によれば、ハウジング、電力線通信機構、制御管理機構、メモリユニット及びスイッチ機構を備える埋め込み式電源管理プラグ受けであって、前記ハウジングは、電力線に接続され、電源プラグを挿着するプラグ接続ベースを有し、前記電力線通信機構は、前記ハウジング内に配置され、前記電力線に接続され、前記電力線を介し、通信プロトコルにより通信を行い、前記制御管理機構は、前記電力線通信機構に接続され、所定のプラグ受け管理データに基づき、前記埋め込み式電源管理プラグ受けを制御し、前記電力線通信機構を利用し、前記電力線に接続された他の埋め込み式電源管理プラグ受けに、前記電力線を介してプラグ受け制御指令を送信したり、前記電力線通信機構を利用し、他の埋め込み式電源管理プラグ受けから、前記電力線を介して前記プラグ受け制御指令を受信したりし、前記メモリユニットは、前記制御管理機構に接続され、専属の電力線通信アドレスデータを記憶し、指令記憶エリアを有し、前記スイッチ機構は、前記プラグ接続ベースと前記電力線との間に直列接続され、前記制御管理機構に接続され、前記制御管理機構により制御し、前記プラグ接続ベースと前記電力線との間を導通したり非導通したりすることを特徴とする埋め込み式電源管理プラグ受けが提供される。
【０００８】
前記プラグ受け管理データは、遠隔装置から送信され、前記遠隔装置には、前記電力線に接続された電力線通信モジュールが接続されることが好ましい。
【０００９】
前記プラグ受け管理データは、前記メモリユニットに予め記憶されることが好ましい。
【００１０】
前記制御管理機構は、前記電力線通信機構を利用し、前記遠隔装置に、前記電力線を介してプラグ受け状態信号を送信する状態報告ユニットをさらに備えることが好ましい。
【００１１】
赤外線通信機構をさらに備え、前記赤外線通信機構は、前記制御管理機構に接続され、前記制御管理機構は、前記赤外線通信機構を介し、前記遠隔装置と赤外線通信を行うことが好ましい。
【００１２】
前記制御管理機構及び前記プラグ接続ベースに接続され、前記制御管理機構により制御され、前記プラグ接続ベースの電力状態を検知する電力検知機構をさらに備えることが好ましい。
【００１３】
前記プラグ接続ベースと前記電力線との間に、直列接続された安全保護機構をさらに備えることが好ましい。
【００１４】
前記スイッチ機構はリレースイッチ機構であることが好ましい。
【考案の効果】
【００１５】
本考案の埋め込み式電源管理プラグ受けは、独立して作動する装置であり、様々な伝送方式により、通信を行ったりインタラクティブに操作を行ったりすることができる。遠隔装置は、ホストとして用いる場合、埋め込み式電源管理プラグ受けを集中制御し、電力線が配線された場所全体の電力使用状態を管理することができる。また、遠隔装置は、ホストとして用いない場合でも、所定のプログラムにより埋め込み式電源管理プラグ受けを作動させ、これら電気製品の電源を有効に管理することができる。この構成により、本考案の埋め込み式電源管理プラグ受けは、人々の生活を便利にし、スイッチの消し忘れによる安全面で問題が発生することを防ぐことができる。
【図面の簡単な説明】
【００１６】
【図１】本考案の第１実施形態による埋め込み式電源管理プラグ受けを示す斜視図である。
【図２】本考案の第１実施形態による埋め込み式電源管理プラグ受けを示す構造図である。
【図３】本考案の第１実施形態による複数の埋め込み式電源管理プラグ受けの間で通信を行うときの状態を示す構造図である。
【図４】本考案の第１実施形態による複数の埋め込み式電源管理プラグ受けの間で通信を行うときの状態を示すもう一つの構造図である。
【図５】本考案の第２実施形態による埋め込み式電源管理プラグ受けを示す構造図である。
【考案を実施するための形態】
【００１７】
以下、本考案の実施形態について図に基づいて説明する。なお、これによって本考案が限定されるものではない。
【００１８】
（第１実施形態）
図１及び図２を参照する。図１及び図２に示すように、本考案の第１実施形態による埋め込み式電源管理プラグ受け１００は、壁Ｗ内に嵌設することが可能なハウジング１を有する。ハウジング１は、電力線Ｌに接続され、電気製品３の電源プラグ３１を差し込むために用いるプラグ接続ベース１１を有する。
【００１９】
第１実施形態のハウジング１の中には、電力線通信機構２１、制御管理機構２２、メモリユニット２３、スイッチ機構２４、安全保護機構２５及び電力検知機構２６が配置されている。
【００２０】
電力線通信機構２１は、電力線Ｌ及び制御管理機構２２に接続されている。電力線通信機構２１は、電力線Ｌを介し、通信プロトコルにより通信を行う。具体的には、電力線通信機構２１は、制御管理機構２２により制御され、電力線Ｌに信号（指令）を送信することにより、電力線Ｌに接続された電力線通信機能を有する他の装置に信号を送信したり、電力線Ｌを介して外部から信号を受信したりするのに用いる。
【００２１】
制御管理機構２２は、電力線通信機構２１、メモリユニット２３、スイッチ機構２４、安全保護機構２５及び電力検知機構２６に接続され、所定のプラグ受け管理データＤ１に基づき、埋め込み式電源管理プラグ受け１００を制御する。制御管理機構２２は、電力線通信機構２１を利用し、電力線Ｌに接続された他の埋め込み式電源管理プラグ受けに、電力線Ｌを介してプラグ受け制御指令Ｓを送信したり、他の埋め込み式電源管理プラグ受けからプラグ受け制御指令Ｓを受信したりするために用いる。
【００２２】
プラグ受け管理データＤ１は、遠隔装置４（例えば、コンピュータなど）から送られてもよい。例えば、埋め込み式電源管理プラグ受け１００は、電力線Ｌを介して遠隔装置４に接続されている。この遠隔装置４は、電力線Ｌに接続される電力線通信モジュール４１を有する。この構成により、埋め込み式電源管理プラグ受け１００は、電力線Ｌを介し、遠隔装置４から送信されるプラグ受け管理データＤ１を受信し、プラグ受け管理データＤ１をメモリユニット２３に記憶させる。このため、遠隔装置４がオフされたり電力線Ｌとの接続が遮断されたりした場合でも、制御管理機構２２は、メモリユニット２３内に記憶されたプラグ受け管理データＤ１に基づき、依然として埋め込み式電源管理プラグ受け１００を制御することができるが、本考案は、この態様だけに限定されるわけではなく、他の態様も含む。プラグ受け管理データＤ１は、メモリユニット２３内に予め記憶させると、遠隔装置４により提供する必要がない。このような構成の場合、埋め込み式電源管理プラグ受け１００は、電力線Ｌを介して遠隔装置４に接続しなくとも、独立して作動し、指令を受信することができる。
【００２３】
メモリユニット２３には、専属の電力線通信アドレスデータＤ２が記憶され、プラグ受け制御指令Ｓを記憶するために用いる指令記憶エリアＢが設けられている。ここで、電力線通信アドレスデータＤ２とは、電力線ネットワーク上における埋め込み式電源管理プラグ受け１００のアドレスを表す。電力線通信機構２１は、この電力線通信アドレスデータＤ２に基づき、電力線ネットワーク上で、埋め込み式電源管理プラグ受け１００と他の埋め込み式電源管理プラグ受け１００とを混同することなく、専属の信号を送受信することができる。
【００２４】
スイッチ機構２４は、プラグ接続ベース１１と電力線Ｌとの間に直列接続され、制御管理機構２２により制御され、プラグ接続ベース１１と電力線Ｌとの間を導通したり非導通したりする。具体的に言うと、スイッチ機構２４は、リレースイッチ機構（例えば、リレー装置又はソリッドステート・リレー（ＳＳＲ））であり、制御管理機構２２によりトリガーされ、オン・オフを行う。
【００２５】
電力線Ｌに流れる電力が大きくなりすぎたり不安定になったりし、埋め込み式電源管理プラグ受け１００や埋め込み式電源管理プラグ受け１００に接続された電気製品３が損壊することを防ぐために、プラグ接続ベース１１と電力線Ｌとの間に、安全保護機構２５（例えば、過大電流保護回路、ヒューズなど）を直列接続してもよい。安全保護機構２５は、電力線Ｌに流れる電力が大きすぎる場合、プラグ接続ベース１１と電力線Ｌとの間の接続を遮断し、埋め込み式電源管理プラグ受け１００及び電気製品３が損壊することを防ぐ。
【００２６】
電力検知機構２６は、プラグ接続ベース１１に接続された電気製品３の電気使用状況及び電力線Ｌの電力状態を把握することができるように、プラグ接続ベース１１に接続され、制御管理機構２２により制御され、プラグ接続ベース１１の電力状態を検知するために用いる。制御管理機構２２は、検知結果に基づき制御を行うことができる。
【００２７】
詳細には、第１実施形態の制御管理機構２２は、制御ユニット２２１、指令送信ユニット２２２、指令受信ユニット２２３、状態報告ユニット２２４及びタイマユニット２２５を有する。
【００２８】
指令送信ユニット２２２は、制御ユニット２２１により制御され、電力線通信機構２１を利用し、電力線Ｌを介して電力線Ｌに接続された他の埋め込み式電源管理プラグ受けにプラグ受け制御指令Ｓを送信する。指令受信ユニット２２３は、制御ユニット２２１により制御され、電力線通信機構２１を利用し、電力線Ｌを介して他の埋め込み式電源管理プラグ受けからプラグ受け制御指令Ｓを受信する。これにより、制御管理機構２２は、遠隔装置４を介さなくとも全ての埋め込み式電源管理プラグ受け１００と通信することができる。
【００２９】
状態報告ユニット２２４は、制御ユニット２２１により制御され、電力線通信機構２１を利用し、電力線Ｌを介して遠隔装置４にプラグ受け状態信号Ｒを送信する。これにより、遠隔装置４は、電力線Ｌに接続された全ての埋め込み式電源管理プラグ受けの状態を把握することができる。埋め込み式電源管理プラグ受け１００は、必ずしも状態報告ユニット２２４を有する必要はないが、状態報告ユニット２２４を有する場合、遠隔装置４により全ての埋め込み式電源管理プラグ受け１００を便利に集中管理することができる。
【００３０】
タイマユニット２２５は、制御ユニット２２１が所定時間に所定の動作を行うことができるように、制御ユニット２２１にタイミング情報（例えば、日時など）を提供するために用いる。例えば、電気製品３が灯具である場合、昼間の時間帯は、スイッチ機構２４により、プラグ接続ベース１１と電力線Ｌとの間の接続を遮断し、夜間の時間帯は、プラグ接続ベース１１と電力線Ｌとを導通させることにより、消費電力を減らす。
【００３１】
図３を参照する。図３に示すように、まず、埋め込み式電源管理プラグ受け１００は、電力線Ｌを介し、遠隔装置４からプラグ受け制御指令Ｓ０１を受信する。ここで、埋め込み式電源管理プラグ受け１００内に、予めプラグ受け管理データＤ１が記憶されている場合、プラグ受け制御指令Ｓ０１を受信する必要がなくなるため遠隔装置４を省略することができる。
【００３２】
続いて、埋め込み式電源管理プラグ受け１００は、ブロードキャスト方式により、その他の埋め込み式電源管理プラグ受け１００のうちの１つにプラグ受け制御指令Ｓ１２を送信し、他の埋め込み式電源管理プラグ受け１００にプラグ受け制御指令Ｓ１３を送信することにより、他の埋め込み式電源管理プラグ受け１００と通信を行う。
【００３３】
プラグ受け制御指令Ｓ０１を受信した埋め込み式電源管理プラグ受け１００は、プラグ受け制御指令Ｓ１２，Ｓ１３に基づき、独立して作動する。さらに、これらの埋め込み式電源管理プラグ受け１００は、埋め込み式電源管理プラグ受け１００にプラグ受け制御指令Ｓ２１、Ｓ３１を返信し、互いに通信が正しいか否かを確認したり、制御を行ったりする。
【００３４】
図４を参照する。図４に示すように、第１実施形態の埋め込み式電源管理プラグ受け１００は、互いのプラグ受けの間隔が長く、電力線Ｌの距離が長い場所（例えば、ビル、工場など）で使用される際、まず、近くの埋め込み式電源管理プラグ受け１００にプラグ受け制御指令Ｓ１２を送信し、続いて、その近くの埋め込み式電源管理プラグ受け１００から次の埋め込み式電源管理プラグ受けにプラグ受け制御指令Ｓ２３が送信され、同様のステップを繰り返す。埋め込み式電源管理プラグ受け１００は、近くの埋め込み式電源管理プラグ受け１００にプラグ受け制御指令Ｓ２１，Ｓ３２を返信し、互いに通信が正しいか否かを確認したり、制御したりする。
【００３５】
上述の伝送方式は、通信距離が長すぎるため伝送途中で干渉を受け、信号が弱くなったり乱れたりすることを防ぐことができる。そのため、電力線Ｌから遠い場所に位置する埋め込み式電源管理プラグ受けでも、プラグ受け制御指令を正確に受信することができる。
【００３６】
ここで、本考案の伝送方式は、上述の２種類の伝送方式だけに限定されるわけではなく、他の態様でもよい。本考案の埋め込み式電源管理プラグ受けは、独立して作動する装置であるため、様々な伝送方式により、互いに通信したり、遠隔装置がホストでない場合に独立して作動したりすることができる。
【００３７】
（第２実施形態）
図５を参照する。図５に示すように、本考案の第２実施形態による埋め込み式電源管理プラグ受け１００ａは、赤外線通信機構２７をさらに備える点が第１実施形態と異なる。第２の実施形態の埋め込み式電源管理プラグ受け１００ａは、赤外線通信機構２７を介し、赤外線通信モジュール４２を有する遠隔装置４と無線通信を行うことができる。このような構成により、遠隔装置４は、電力線通信モジュール４１を省略し、構造を簡素にすることができる。
【００３８】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００３９】
１  ハウジング
３  電気製品
４  遠隔装置
１１  プラグ接続ベース
２１  電力線通信機構
２２  制御管理機構
２３  メモリユニット
２４  スイッチ機構
２５  安全保護機構
２６  電力検知機構
２７  赤外線通信機構
３１  電源プラグ
４１  電力線通信モジュール
４２  赤外線通信モジュール
１００  埋め込み式電源管理プラグ受け
１００ａ  埋め込み式電源管理プラグ受け
２２１  制御ユニット
２２２  指令送信ユニット
２２３  指令受信ユニット
２２４  状態報告ユニット
２２５  タイマユニット
Ｂ  指令記憶エリア
Ｄ１  プラグ受け管理データ
Ｄ２  電力線通信アドレスデータ
Ｌ  電力線
Ｒ  プラグ受け状態信号
Ｓ  プラグ受け制御指令
Ｓ０１  プラグ受け制御指令
Ｓ１２  プラグ受け制御指令
Ｓ１３  プラグ受け制御指令
Ｓ２１  プラグ受け制御指令
Ｓ２３  プラグ受け制御指令
Ｓ３１  プラグ受け制御指令
Ｓ３２  プラグ受け制御指令
Ｗ  壁
【図１】
0003169405.tif 000003
【図２】
0003169405.tif 000004
【図３】
0003169405.tif 000005
【図４】
0003169405.tif 000006
【図５】
0003169405.tif 000007